(57)【特許請求の範囲】
【請求項１】
ハウジング（１２）と、
前記ハウジングの一方側にあるキャップ（２４）と、
前記キャップの他方側で前記ハウジングに装着された、刃縁部（３２）を有する１枚又は２枚以上の刃（２６）と、
前記ハウジングの他方側にあるガード（２２）と、
を備え、
前記ガードは、前記１枚又は２枚以上の刃と平行に延在する複数の波状列（７０）を有する上面を有し、
前記波状列の各々は、頂部（８０）及び谷部（９０）を有し、
前記谷部は、エラストマー材で構成されており、
前記１枚又は２枚以上の刃の前記刃縁部に向かって見たとき、前記１枚又は２枚以上の刃に近い波状列の谷部は、前記刃から遠い波状列の谷部よりも前方位置に設けられ、前記１枚又は２枚以上の刃に近い波状列の頂部は、前記刃から遠い波状列の頂部よりも前方位置に設けられている、剃毛カートリッジ（１０）。
【請求項２】
前記ガードは、単一の材料で構成される単一の一体型部材で構成される、請求項１に記載の剃毛カートリッジ。
【請求項３】
前記材料は、３０〜９０のショアＡ硬度を有する、請求項２に記載の剃毛カートリッジ。
【請求項４】
前記ガードと前記１枚又は２枚以上の刃との間にコームガードを更に備え、
前記コームガードは、複数の離間した突起部を有し、
前記突起部と前記ガードの波状列の頂部とは、前記１枚又は２枚以上の刃の延在方向と垂直な方向に整列されている、請求項１〜３のいずれか一項に記載の剃毛カートリッジ。
【請求項５】
前記１枚又は２枚以上の刃の前記刃縁部に向かって見たとき、前記波状列の１つの頂部は、前記コームガードの突起部に対して０．５ｍｍ以下の距離だけ前方位置に設けられている、請求項４に記載の剃毛カートリッジ。
【請求項６】
前記ガードは、１０〜３０個の谷部を有する、請求項１〜５のいずれか一項に記載の剃毛カートリッジ。
【請求項７】
前記頂部の中心間距離は、０．７５ｍｍ〜２．０ｍｍである、請求項１〜６のいずれか一項に記載の剃毛カートリッジ。
【請求項８】
前記谷部は、前記頂部に対して０．１ｍｍ〜０．６ｍｍの深さを有する、請求項１〜７のいずれか一項に記載の剃毛カートリッジ。
【請求項９】
前記ガードは、前記ガードの他方側から前記ガードの一方側まで３〜１５個の波状列を階段状に有する、請求項１〜８のいずれか一項に記載の剃毛カートリッジ。
【請求項１０】
前記１枚又は２枚以上の刃の前記刃縁部に向かって見たとき、前記波状列の１つに沿って延在する頂部は、同じ位置にある、請求項１〜９のいずれか一項に記載の剃毛カートリッジ。
【請求項１１】
前記１枚又は２枚以上の刃の前記刃縁部に向かって見たとき、前記波状列の１つに沿って延在する谷部は、同じ位置にある、請求項１〜１０のいずれか一項に記載の剃毛カートリッジ。
【請求項１２】
前記波状列の各々は、他方側の端縁部（９２）を有し、
ある波状列の他方側の端縁部から次の波状列の他方側の端縁部まで０．１ｍｍ〜１．３ｍｍの幅を有する、請求項１〜１１のいずれか一項に記載の剃毛カートリッジ。
【請求項１３】
前記１枚又は２枚以上の刃に隣接している前記波状列の幅は、前記１枚又は２枚以上の刃から遠い前記波状列の幅よりも大きい、請求項１２に記載の剃毛カートリッジ。
【発明の詳細な説明】
【技術分野】
【０００１】
本発明は湿式剃毛かみそりに関し、より詳細には、皮膚の伸張を促進するためのエラストマーガードを有する湿式剃毛かみそりカートリッジに関する。
【背景技術】
【０００２】
概して、安全かみそりのカートリッジ又は刃ユニットは、カートリッジが取り付けられたハンドルを用いて、剃毛される皮膚の表面にわたって移動される切断用刃先を有する少なくとも１つの刃を有する。一部の剃毛かみそりには、ハンドルに対して旋回し、剃毛中に皮膚の輪郭に沿って移動する、ばね付勢されたカートリッジが備わっている。カートリッジは、刃の切れ味が不充分な程度にまで落ちた時点でそのカートリッジを新しいカートリッジに交換することができるようにハンドルに着脱可能に装着されてもよく、あるいは、刃が鈍くなった時点でカミソリ全体を廃棄することを意図してハンドルに永久的に取り付けられてもよい。かみそりのカートリッジは、通常、刃の正面にある皮膚と接触するガードと、剃毛中に刃の背後にある皮膚と接触するキャップとを含む。キャップ及びガードは、剃毛時の皮膚に対する刃の向き及び位置を決定するパラメータであるところの、いわゆる「剃毛幾何構造」を確立しやすくするものであり、このパラメータは、カミソリの剃毛性能及び効率に大きく影響する。キャップは、抵抗を低減し、快適さを高める、水滲出性の剃毛補助剤を含んでよい。ガードは概して剛性であってもよく、例えば、刃のための支持を提供するフレーム又はプラットフォーム構造とともに一体化形成される。ガードはまた、より軟質のエラストマー材を含んで、皮膚の伸張を向上させてよい。
【発明の概要】
【発明が解決しようとする課題】
【０００３】
本発明の実施形態は、次の利点の１つ以上を達成することができる。適切な毛髪の配向、剃毛準備剤の刃への移動の促進、摩擦抵抗の低減、及び皮膚の伸張の増加は、皮膚の全体的な伸張を損なうことなく、同時に達成可能である。加えて、本発明の様々な実施形態は切り傷を減らし、近接さを高め、剃毛中の触感を改善し、全体的な快適さを高めるであろう。本発明の他の利点及び特徴は、以下の「発明を実施するための形態」及び「特許請求の範囲」から明らかになるであろう。
【課題を解決するための手段】
【０００４】
一態様では、本発明は概して、ハウジングと、ハウジングの後部にあるキャップと、キャップの前でハウジングに装着された１枚又は２枚以上の刃と、ハウジングの前部にあるガードと、を備える剃毛カートリッジを特徴とする。ガードは、刃と平行に延在する複数の波状列を有する上面を有する。波状列は、頂部と、谷部と、を有する。谷部はエラストマー材を含み、ガードの前部からガードの後部まで階段状である。
【図面の簡単な説明】
【０００５】
【図１Ａ】停止位置にある剃毛かみそりの１つの実施可能な実施形態の側面図である。
【図１Ｂ】旋回位置にある図１Ｂの剃毛かみそりの側面図である。
【図２】図１Ａの剃毛かみそりの斜視図である。
【図３】図１Ａの剃毛かみそりに組み込み可能なカートリッジの平面図である。
【図４】図３の線４−４にほぼ沿った、図３のカートリッジの概略断面図である。
【図５】図１Ａの剃毛かみそりの組立図である。
【図６】図１Ａの剃毛かみそりの拡大底面図である。
【図７Ａ】停止位置にある図３のカートリッジを有する剃毛かみそりの別の実施可能な実施形態の側面図である。
【図７Ｂ】旋回位置にある図３のカートリッジを有する図７Ａの剃毛かみそりの側面図である。
【図８】図７Ａの剃毛かみそりの組立図である。
【図９】図７Ａの剃毛かみそりの斜視図である。
【図１０】図９の剃毛かみそりの拡大底面図である。
【発明を実施するための形態】
【０００６】
図１Ａ及び１Ｂを参照すると、剃毛かみそり５０の１つの実施可能な実施形態の側面図が示されている。剃毛かみそり５０は、ハンドル２００に装着されたカートリッジ１０を有してよい。下記に詳述するように、カートリッジ１０は、ハンドル２００に対して停止位置（図１Ａに示す）と旋回位置（図１Ｂに示す）との間で旋回してよい。ハンドル２００は、カートリッジ１０を停止位置方向に戻すように付勢してよい。剃毛かみそり５０は、前方枢軸（すなわち、刃の前の枢軸）、又は中央枢軸（すなわち、最前方の刃と最後方の刃との間の中央枢軸）、又は後方枢軸（すなわち、最後方の刃とキャップとの間）を有してよい。
【０００７】
図２を参照すると、停止位置にある剃毛かみそり５０の斜視図が示されている。ある実施形態では、カートリッジ１０をハンドル２００から分離し、交換することができる。ハンドル２００は、非平坦面、凹部、リブ、又はエラストマー被覆など１つ以上の把持機構２１２を有する、細長い本体２１０を有してよい。一対の離間した一体型弾性アーム２２０及び２２２は、本体２００からカートリッジ１０に向けて延在してよい。一体型弾性アーム２２０及び２２２は、細長い本体２１０内へと延在するスロット２２４を画定してよい。ある実施形態では、スロット２２４は、細長い本体２１０の長手方向軸Ａ１に概ね沿って延在してよい。カートリッジ支持部材２５０及び２５２は、各一体型弾性アーム２２０及び２２２から外側に延在してよい。カートリッジ１０は、カートリッジ支持部材２５０及び２５２に旋回可能に装着される。
【０００８】
ハンドル２００は、高耐衝撃性ポリスチレン（ＨＩＰＳ）のようなポリマーで成形されてよいが、ポリプロピレン（ＰＰ）、ポリカーボネート（ＰＣ）、及びアクリロニトリルブタジエンスチレン（ＡＢＳ）のような他の準剛性ポリマーを使用してもよい。一片設計としてのハンドル２００（すなわち、一体型弾性アーム２２０及び２２２、本体２１０、並びにカートリッジ支持部材２５０及び２５２）の成形は、時間の経過に伴って平滑に動作しなくなり得る、ばね、舌部、又はカム従動子など追加構成要素を必要としない、一体型の付勢及び旋回機構を有する、低価格の剃毛かみそりを提供する。更に、カートリッジ１０、並びにカートリッジ支持部材２５０及び２５２は、旋回及び付勢機能を提供しつつも、すすぎを改善するための、障害物のない水路に使用される空間をその間に画定してよい。
【０００９】
図３を参照すると、図２のカートリッジ１０の平面図が示されている。カートリッジ１０は、上面２０と、反対側の底面（図示なし）と、を有するハウジング１２を有してよい。上面２０は、ガード２２と、キャップ２４（例えば、潤滑部材）と、少なくとも１枚の刃と、を備えてよい。例えば、ハウジング１２は、ガード２２とキャップ２４との間に位置付けられた、第１の刃２６と、最後の刃３０と、１枚以上の中間刃２８と、を有してよい。３枚の刃２６、２８、及び３０が示されているが、ハウジング１２は、剃毛かみそり５０の所望の性能及び費用に応じて、これよりも多い枚数又は少ない枚数の刃を有してよい。ある実施形態では、刃２６、２８、及び３０は、ハウジング１２に装着され、１つ以上のクリップ１６及び１８によって固定されてよい。ワイヤラッピング、冷間成形、熱かしめ、インサート成形、超音波溶接、及び接着剤が挙げられるが、これらに限定されない、当業者に既知のその他の組立方法を用いて、刃２６、２８、及び３０をハウジング１２に固定及び／又は装着することもできる。
【００１０】
キャップ２４は、ハウジング１２に装着される、個別成形構成要素又は押出成形構成要素であってよい。キャップ２４は、ハウジング１２と同じ材料で成形若しくは押出成形されてよく、又は剃毛中の快適さを増すために、１種類以上の水滲出性の剃毛補助剤材料を有するより潤滑な剃毛補助剤複合材料で成形又は押出成形されてよい。剃毛補助剤複合材料は、非水溶性ポリマーと、皮膚潤滑性の水溶性ポリマーと、を含んでよい。ポリエチレン、ポリプロピレン、ポリスチレン、ブタジエン−スチレンコポリマー（例えば、中耐衝撃性ポリスチレン及び高耐衝撃性ポリスチレン）、ポリアセタール、アクリロニトリル−ブタジエン−スチレンコポリマー、エチレンビニルアセテートコポリマー、ポリプロピレン／ポリスチレンブレンドなどのブレンドを含むが、これらに限定されない、使用され得る好適な非水溶性ポリマーは、Ｍｏｂｉｌ  ４３２４（Ｍｏｂｉｌ  Ｃｏｒｐｏｒａｔｉｏｎ）などの高耐衝撃性ポリスチレン（すなわち、ポリスチレン−ブタジエン）を有してよい。
【００１１】
好適な皮膚潤滑性の水溶性ポリマーとしては、ポリエチレンオキシド、ポリビニルピロリドン、ポリアクリルアミド、ヒドロキシプロピルセルロース、ポリビニルイミダゾリン、及びポリヒドロキシエチルメタクリレートが挙げられてよい。他の水溶性ポリマーとしては、一般にＰＯＬＹＯＸ（Ｕｎｉｏｎ  Ｃａｒｂｉｄｅ  Ｃｏｒｐｏｒａｔｉｏｎから入手可能）又はＡＬＫＯＸ（Ｍｅｉｓｅｉ  Ｃｈｅｍｉｃａｌ  Ｗｏｒｋｓ（Ｋｙｏｔａ，Ｊａｐａｎ）から入手可能）として知られるポリエチレンオキシドが挙げられてよい。これらのポリエチレンオキシドは、約１０万〜６００万、例えば、約３０万〜５００万の分子量を有してよい。ポリエチレンオキシドは、約５００万の平均分子量を有する、約４０〜８０％のポリエチレンオキシド（例えば、ＰＯＬＹＯＸ  ＣＯＡＧＵＬＡＮＴ）と、約３０万の平均分子量を有する、約６０〜２０％のポリエチレンオキシド（例えば、ＰＯＬＹＯＸ  ＷＳＲ−Ｎ−７５０）と、のブレンドを含んでよい。ポリエチレンオキシドブレンドはまた、ＰＥＧ−１００などの低分子量（すなわち、ＭＷ＜１０，０００）ポリエチレングリコールの最大約１０重量％を含有してよい。
【００１２】
剃毛補助剤複合材料はまた、所望に応じて、シクロデキストリン（cylcodextrin）、ポリエチレングリコール（例えば、１〜１０重量％）など低分子量の水溶性放出促進剤、架橋ポリアクリリック（例えば、２〜７重量％）など水膨潤性放出促進剤、色材、酸化防止剤、防腐剤、殺菌剤、ひげ軟化剤、収れん剤、除毛剤、薬剤、コンディショニング剤、加湿剤、冷却剤などと皮膚鎮静剤との包接錯体を含んでよい。
【００１３】
ハウジング１２は、ガード２２と第１の刃２６との間にコームガード６０を有してよい。コームガード６０は、複数の離間配置された突起部６２を有してよい。突起部６２は、刃２６、２８、及び３０を横断する方向に延在する複数の開口チャネル６４を画定してよい。隣接する突起部６２は、約０．１０ｍｍ、０．２０ｍｍ、又は０．３０ｍｍ〜約０．３５ｍｍ、０．４０ｍｍ、又は０．４９ｍｍの距離によって離間され（すなわち、開口チャネル６４の幅）、毛髪が概して障害物のない状態で通過できるようにし、剃毛中の毛髪の引っ張り及びつかみを最小限に抑えてよい。用途に応じて、剃毛する毛髪の厚さ及び量は、より大きい、又はより小さい開口チャネル６４の幅を必要とし得る。ある実施形態では、開口チャネル６４は、内後部に向けて先細であってよい。例えば、開口チャネル６４は、第１の刃２６に向けての幅よりも大きい幅をガード２２に向けて有してよい。突起部６２は、開口チャネル６４の幅と概して等しい幅、例えば、約０．１０ｍｍ、０．２０ｍｍ、又は０．３０ｍｍ〜約０．３５ｍｍ、０．４０ｍｍ、又は０．４９ｍｍの幅を有してよい。しかし、突起部６２の幅は、皮膚表面の所望の総接触面積に応じて、より大きくても、より小さくてもよい。皮膚表面との接触面積がより大きいと皮膚の支持が増し、不快感が軽減することがある。ある実施形態では、突起部６２は、図３及び４に示されるように、ガード２２から離間していて、刃２６、２８、及び３０と平行に延在する細長い間隙５５を画定してよい。
【００１４】
コームガード６０は、概して剛性材料で成形されて、ハウジング１２が剃毛中に一貫した形状を維持し、離間した突起部６２が毛髪を持ち上げ、配向する機能を強化できるようにしてよい。加えて、複数の突起部６２は、剃毛面（すなわち、キャップ２４から突起部６２への接線）を設定してよい。離間した突起部６２は、これらの突起部が、通常、標準的な剃毛条件下で曲がる又は屈曲する（これは剃毛形状に悪影響を及ぼし得る）ことがないように、十分に剛性であってよい。ある実施形態では、コームガード６０は、ハウジング１２と同じ材料、例えば、Ｎｏｒｙｌ（商標）（Ｇｅｎｅｒａｌ  Ｅｌｅｃｔｒｉｃ  Ｐｌａｓｔｉｃｓ、現在のＳＡＢＩＣ  Ｉｎｎｏｖａｔｉｖｅ  Ｐｌａｓｔｉｃｓによって開発されたポリフェニレンオキサイド（ＰＰＯ）とポリスチレンとのブレンド）で成形されてよい。コームガード６０は、他の半剛性ポリマー、例えば、約５０、６０、又は７０〜約９０、１１０、又は１２０のショアＡ硬度を有する材料で成形されてよい。例えば、高耐衝撃性ポリスチレン（ＨＩＰＳ）、ポリプロピレン（ＰＰ）、アクリロニトリルブタジエンスチレン（ＡＢＳ）、ポリカーボネート（ＰＣ）、及びこれらの組み合わせも使用されてよい。
【００１５】
ガード２２は、ハウジングを横断し、かつ刃２６、２８、及び３０と概して平行に延在する複数の起伏列７０（例えば、７０ａ、７０ｂ、７０ｃ）を有してよい。起伏列７０ａの各々は、複数の頂部８０及び谷部９０（例えば、約１０〜約３０の頂部８０及び約１０〜約３０の谷部９０）を有してよい。起伏列７０（例えば、７０ａ）のある頂部８０（例えば、頂部８０ａ）は、他の起伏列７０（例えば、７０ｂ及び７０ｃ）の１つ以上の頂部８０（例えば、８０ｂ又は８０ｃ）と概ね一直線であってよい。ある実施形態では、起伏列７０の少なくとも１つの谷部９０及び頂部８０は、約０．７５ｍｍ、０．８５ｍｍ、又は０．９５ｍｍ〜約１．２５ｍｍ、１．５０ｍｍ、又は２．０ｍｍのピッチ（例えば、ある頂部８０の中心から直接隣接する頂部８０の中心までの距離）を有してよい。
【００１６】
ガードは、単一の材料で構成される単一の一体型部材で構成されてよい。ある実施形態では、ガード２２は、ハウジング１２に対してインサート射出成形又は共射出成形されてよい。ただし、接着剤、超音波溶接、又は機械的締結具など他の既知の組立法もまた使用されてよい。ガード２２（ひいては起伏列７０）は、ハウジング１２及び／又は複数の突起部６０よりも軟質の材料（すなわち、より低いジュロ硬度）で成形されてよい。例えば、ガード２２は、約２０、３０、又は４０〜５０、６０、又は７０のショアＡ硬さを有し得る。ガード２２は、熱可塑性エラストマー（ＴＰＥ）又はゴムで作製されてよく、例としては、シリコーン、天然ゴム、ブチルゴム、ニトリルゴム、スチレンブタジエンゴム、スチレンブタジエンスチレン（ＳＢＳ）ＴＰＥ、スチレンエチレンブタジエンスチレン（ＳＥＢＳ）ＴＰＥ（例えば、Ｋｒａｔｏｎ）、ポリエステルＴＰＥ（例えば、Ｈｙｔｒｅｌ）、ポリアミドＴＰＥ（Ｐｅｂａｘ）、ポリウレタンＴＰＥ、ポリオレフィン系ＴＰＥ、及びこれらのＴＰＥの任意のブレンド（例えば、ポリエステル／ＳＥＢＳブレンド）が挙げられるが、これらに限定されない。ある実施形態では、ガード２２は、Ｋｒａｉｂｕｒｇ  ＨＴＣ  １０２８／９６、ＨＴＣ  ８８０２／３７、ＨＴＣ  ８８０２／３４、又はＨＴＣ  ８８０２／１１（ＫＲＡＩＢＵＲＧ  ＴＰＥ  ＧｍｂＨ  ＆  Ｃｏ．ＫＧ（Ｗａｌｄｋｒａｉｂｕｒｇ，Ｇｅｒｍａｎｙ））で構成されてよい。より軟質の材料は、皮膚の伸張を増し、加えて、剃毛中のユーザーの皮膚に与える触感を改善してよい。より軟質の材料はまた、ハウジング１２及び／又は複数の突起部６２のより硬質の材料が、剃毛中にユーザーの皮膚に与える不快な感覚を紛らわすのに役立ち得る。
【００１７】
谷部９０は、約０．１ｍｍ〜約０．６ｍｍの深さを有してよい。谷部９０の深さは、起伏列７０の１つ以上において一貫していてよい（すなわち、起伏列内の谷部が全て同一の深さを有する）。頂部の高さは、起伏列７０の１つ以上（one of more）において一貫していてよい。谷部９０の深さとガード２２（ひいては、谷部９０）を構成するエラストマー材との組み合わせによって、頂部８０だけではなく、ガード２２の谷部９０においても、皮膚の伸張が可能になってよい。谷部９０はまた、剃毛準備剤（例えば、剃毛前に皮膚に塗布される）が１枚以上の刃２６に達するようにしてよい。典型的なフィンガードは、剃毛準備剤を過度に除去するため、剃毛効率に悪影響を及ぼす。各起伏列７０は、前縁部９２（例えば、９２ａ、９２ｂ、及び９２ｃ）を有して、剃毛動作中の皮膚に対するガード２２の抵抗を増すことにより、皮膚を容易に伸張できるようにしてよい。したがって、頂部８０及び谷部９０は、刃２６、２８、及び３０を横断する方向に配置されてよく、刃２６、２８、及び３０に近い起伏列７０は、カートリッジ１０の前側にある（すなわち、刃２６、２８、及び３０から遠い）起伏列よりも高い。各波状列は、ある前縁部９２（例えば、前縁部９２ａ）から次の前縁部（例えば、前縁部９２ｂ）まで（刃２６、２８、及び３０を横断する方向に延在する）約０．１ｍｍ、０．２ｍｍ、又は０．３ｍｍ〜約０．８ｍｍ、０．９ｍｍ、又は１．３ｍｍの幅を有してよい。ガード２２の後部に近い（例えば、第１の刃２６に面する）波状列７０（例えば、波状列７０ａ）の幅は、ガード２２の前側に面する（すなわち、刃２６、２８、及び３０から遠い）波状列７０（例えば、波状列７０ｃ）の幅よりも大きくてよい。前縁部９２の高さは、刃２６、２８、及び３０から遠いガードの前側において、刃２６、２８、及び３０に近いガード２２の後部よりも大きい。前縁部の高さは、約０．１ｍｍ、０．２ｍｍ、又は０．３ｍｍ〜約０．６ｍｍ、０．７ｍｍ、又は０．８ｍｍであってよい。ある実施形態では、第１の刃２６に最も近い起伏列７０ａ（すなわち、頂部８０ａ）の高さは、複数の突起部６０の上面６１よりも約０．１ｍｍ又は０．２ｍｍ〜約０．３ｍｍ又は０．５ｍｍ上にあってよい。第１の起伏列７０ａが低すぎる（例えば、複数の突出部６０の上面を下回る）場合、ガード２２は皮膚と十分に係合しないことがある。第１の起伏列７０ａが高すぎる場合、ガード２２は、皮膚を刃から離すように持ち上げ得るため、剃毛の近接さが低減する。加えて、ガード２２が高すぎる場合、キャップ２４及びコームガード６０（すなわち、離間した突起部６２）ではなく、キャップ２４及びガード２２が剃毛面を設定するであろう。コームガード６０よりもやや上にあるガード２２の頂部（すなわち、頂部８０）の位置は、近接さを損なうことなく、適切に皮膚を伸張する。ガード２２の谷部９０は、複数の突起部６２の間にある開口チャネル６４と概ね一直線であって、剃毛準備剤の刃２６、２８、３０への移動を促進してよい。
【００１８】
図４を参照すると、図３の線４−４にほぼ沿った、カートリッジ１０の概略断面図が示されている。第１の刃２６は、コームガード６０の前に位置付けられてよい。１枚以上の中間にある刃２８は、第１の刃２６と最後の刃３０との間に位置付けられてよい。刃２６、２８、及び３０の各々は、対応の細長い刃縁部３２、３４、及び３６を有してよい。ある実施形態では、キャップ２４は、ハウジング１２に固定されている別個の構成要素であってよい。キャップ２４は、最後の刃３０のすぐ後方に位置付けられてよい。キャップ２４は、本体から前面４０まで外側に延在する前方ウィング４６及び本体から後面４２まで外側に延在する後方ウィング４８の対を有する本体４４を有してよい。ハウジング１２は、キャップ２４の本体４４を受容する寸法に形成された細長い開口部５２を画定してよい。キャップ２４は、プレス嵌め、スナップ嵌め、又はハウジング１２への接着、のいずれかであってよいが、他の既知の方法もまた、使用されてよい。
【００１９】
ある実施形態では、キャップ２４（例えば、潤滑部材）は、ハウジング１２に固定された、水滲出性の剃毛補助剤を含んでよい。ウィング４６及び４８は、約０．１ｍｍ、０．２ｍｍ、又は０．３ｍｍ〜約０．８ｍｍ、０．９ｍｍ、又は１．０ｍｍの厚さ「ｔ１」を有してよい。前面４０は、最後の刃３０の後方に位置付けられ、刃縁部３６と概ね平行に延在してよい。潤滑部材の前面４０は、ハウジング１２によって支持されなくてよい。キャップ２４の前面４０は、ハウジング１２上で距離「ｄ１」だけ延出してよい。例えば、キャップ２４の前面４０は、ハウジング１２上で約０．１ｍｍ、０．２ｍｍ、又は０．３ｍｍ〜約０．８ｍｍ、０．９ｍｍ、又は１．０ｍｍ延出して、皮膚がハウジング１２ではなく、より平滑かつより潤滑なキャップ２４に接触できるようにしてよい。ハウジング１２上で延出するキャップ２４は、最後の刃３６とハウジング１２との間の洗浄空間を損なうことなくキャップ２４の幅を最大化する。加えて、ハウジング１２を超えてキャップ２４の前面４０を延出させると、キャップ２４（例えば、キャップ２４の前面４０の下）に水が到達しやすくなり、したがって、キャップ２４の水滲出性の剃毛補助剤がより多くの水を吸収し、より多くの潤滑剤を放出できるようになる。更に、キャップ２４の前面４０はハウジング１２の制約を受けないため、キャップ２４の膨張（例えば、最後の刃に向けて）を増すことができてよい。前面４０は、剃毛動作中にキャップ２４の上を皮膚が滑らかに動きやすくするように精密な輪郭を有してよい。前面４０は、最後の刃３０から約０．１ｍｍ、０．２ｍｍ、又は０．３ｍｍ〜約０．８ｍｍ、０．９ｍｍ、又は１．０ｍｍの水平距離ｄ２だけ離間していてよい。
【００２０】
ある実施形態では、後面４２は、ハウジング１２から約０．１ｍｍ、０．２ｍｍ、又は０．３ｍｍ〜約０．８ｍｍ、０．９ｍｍ、又は１．０ｍｍの距離「ｄ３」だけ張り出してよい。後面４２は、前面４０について前述した利点と同様の利点をもたらしてよい。加えて、消費者は、ハンドルを回転させ、刃２６、２８、及び３０を皮膚に押し付けて引くことなく、皮膚に後面４２を押し付けて引いて潤滑剤（又は他の成分）を追加してよい。したがって、キャップ２４の形状は、ハウジング１２の形状によって制限されなくてよい。前面４０及び後面４２の張り出しは、キャップ２４のより大きい幅をもたらしてよい。例えば、キャップ２４は、約２．０ｍｍ、２．５ｍｍ、又は３ｍｍ〜約４．０ｍｍ、４．５ｍｍ、又は５．０ｍｍの幅を有してよい。ある実施形態では、前面４０から後面４２までのキャップ２４の幅は、第１の刃縁部から最後の刃縁部までの距離よりも大きくて、快適さ及び潤滑性を向上させてよい。理論に束縛されるものではないが、刃の枚数、ひいては第１の刃から最後の刃までの総距離の増加は近接さを高めるが、刺激も増すであろう。したがって、水滲出性の剃毛補助剤複合材料を有するキャップ２４の幅は、刃を原因として増加する全ての刺激を引き受けることによって快適さを増すために、第１の刃縁部３２から最後の刃縁部３６までの距離以上である必要がある。加えて、前面４０及び／又は後面４２の張り出しによって、カートリッジ１０をモジュール型にすることができる。例えば、少ない枚数の又は多い枚数の刃を有する、より小さいキャップ２４に同一のハウジング１２を使用してよい。
【００２１】
図５及び６を参照すると、図１の剃毛かみそり５０の組立図及び拡大図が示されている。剃毛かみそり５０のカートリッジ１０は、図１Ａ及び１Ｂにそれぞれ示されるように、停止位置と旋回位置との間で旋回してよい。カートリッジ１０は、ハンドル２００に対して約１０度〜約５０度の旋回角度を有してよい。カートリッジ１０はハンドル２００に対して旋回するので、カートリッジ１０は、ハンドル２００のカートリッジ支持部材２５０及び２５２によって停止位置に戻るように付勢されてよい。カートリッジ１０のハウジング１２は、１つ又は２つ以上の嵌合機構１００及び１０２（例えば、一対のソケット）を画定する底面１４を有してよい。１つ以上の嵌合機構１００及び１０２を画定する底面１４は、内側（例えば、互いに向かって）かつ後方（例えば、キャップ２４に向かって）に先細になっている、一対の対応するカム面１０４及び１０６を有してよい。ある実施形態では、カム面１０４及び１０６は、第１の刃２６の前方（例えば、ガード２２の下）に位置付けられて、カートリッジ１０の前側旋回軸をもたらしてよい。他の実施形態では、カム面１０４及び１０６は、第１の刃２６と最後の刃３０との間に位置付けられてよい（すなわち、カートリッジ１０に中央旋回軸をもたらす）。１つ以上の嵌合機構１００及び１０２は、カートリッジ支持部材２５０及び２５２の遠位端２５４及び２５６を受容するように構成されてよい。遠位端２５４及び２５６は、対応のカートリッジ支持部材２５０及び２５２から外側に延在してよい。遠位端２５４及び２５６は、対応の１つ以上の嵌合機構１００及び１０２内に位置付けられて、カートリッジの旋回を促進するピンであってよい。ある実施形態では、遠位端２５４及び２５６は、ハウジング１２の対応のピンを受容して、カートリッジの旋回を促進する開口部を画定してよい。各カム面１０４及び１０６は、カートリッジ１０がハンドル２００に対して旋回すると、対応のカートリッジ支持部材２５０及び２５２の１つと摺動自在に係合してよい。カム面１０４及び１０６は、ハンドル２００から力を受容して、停止位置にあるカートリッジ１０に付勢してよい。カートリッジ１０がハンドル２００に対して旋回すると、カム面１０４及び１０６は、カートリッジ支持部材２５０及び２５２、並びに／又は一体型弾性アーム２２０及び２２２を互いに向かって内側に押し付けてよい（例えば、カートリッジ支持部材２５０及び２５２、並びに／又は一体型弾性アーム２２０及び２２２は元の位置から屈曲してよい）。スロット２２４は、開放端部２２６から閉鎖部分２２８まで内側に向かって先細になって、カートリッジ１０の旋回時に適切な付勢力をもたらしてよい。例えば、より小さい開放端部２２６は押し込み止めをもたらしてよく、より大きい閉鎖部分２２８は更なる可撓性をもたらしてよい。カートリッジ１０に対して作用する力が除去される（又は低減される）と、カートリッジ支持部材２５０及び２５２並びに／又は一体型弾性アーム２２０及び２２２は、停止位置の方向に戻ってよい。アーム２２０及び２２２は、停止位置と旋回位置との間でスロット２２４において約０．２ｍｍ、０．５ｍｍ、又は．７５ｍｍ〜約０．９ｍｍ、１．５ｍｍ、又は２．０ｍｍ内側に屈曲してよい。ある実施形態では、開放端部におけるスロット幅「ｗ２」は、旋回位置又は停止位置のいずれかにおいて、約０．５ｍｍ、０．７５ｍｍ、又は１ｍｍ〜約２ｍｍ、３ｍｍ、又は４ｍｍであってよい。スロット幅「ｗ２」は、旋回位置においてよりも停止位置において大きくてよい。
【００２２】
ある実施形態では、ハンドル２００は、ハウジング１２のポリマー材料とは異なる硬度を有するポリマー材料を含んでよい。例えば、ハウジング１２は、約５３〜約１００のジュロ硬度（例えば、ロックウェルＲスケール）を有するＨＩＰＳで成形されてよく、ハンドル２００は、約１００〜約１２０の硬さ（例えば、ロックウェルＲスケール）を有するＡＢＳで成形されてよい。理論に束縛されるものではないが、ハンドル２００のより硬質の材料は、ハウジングのカム面に対する改善された耐摩耗性をもたらすと考えられる。したがって、カートリッジ１０を長期間使用し、旋回を繰り返してもハンドル２００の付勢力は一定に保たれ（又は、更には増加し）、ハンドル２００の摩耗が原因で外れることはないであろう。
【００２３】
ある実施形態では、スロット２２４は空間を画定してよい。他の実施形態では、スロット２２４は、ハンドル２００を構成する材料よりも軟質の材料で充填されてよい。例えば、スロット２２４は、約２０、３０、又は４０〜約５０、６０、又は７０のショアＡ硬度を有する材料で充填されてよい。材料としては、熱可塑性エラストマー（ＴＰＥ）又はゴムが挙げられてよく、例としては、シリコーン、天然ゴム、ブチルゴム、ニトリルゴム、スチレンブタジエンゴム、スチレンブタジエンスチレン（ＳＢＳ）ＴＰＥ、スチレンエチレンブタジエンスチレン（ＳＥＢＳ）ＴＰＥ（例えば、Ｋｒａｔｏｎ）、ポリエステルＴＰＥ（例えば、Ｈｙｔｒｅｌ）、ポリアミドＴＰＥ（Ｐｅｂａｘ）、ポリウレタンＴＰＥ、ポリオレフィン系ＴＰＥ、及びこれらのＴＰＥの任意のブレンド（例えば、ポリエステル／ＳＥＢＳブレンド）が挙げられるが、これらに限定されない。ある実施形態では、スロット２２４は、Ｋｒａｉｂｕｒｇ  ＨＴＣ  １０２８／９６、ＨＴＣ  ８８０２／３７、ＨＴＣ  ８８０２／３４、又はＨＴＣ  ８８０２／１１（ＫＲＡＩＢＵＲＧ  ＴＰＥ  ＧｍｂＨ  ＆  Ｃｏ．ＫＧ（Ｗａｌｄｋｒａｉｂｕｒｇ，Ｇｅｒｍａｎｙ））で充填されてよい。スロット２２４内のより軟質の材料は、カートリッジ１０の付勢を改善してよく、一体型弾性アーム２２０及び２２２の早期破損を低減してよい。
【００２４】
図７Ａ及び７Ｂを参照すると、剃毛かみそり３５０の別の実施可能な実施形態の側面図が示されている。剃毛かみそり３５０は、前述した図１Ａ及び１Ｂの剃毛かみそり５０に類似していてよく、同一のカートリッジ１０を組み込んでもよい。剃毛かみそり３５０は、ハンドル４００に装着されたカートリッジ１０を備えてよい。下記に詳述するように、カートリッジ１０は、ハンドル４００に対して停止位置（図７Ａに示す）と旋回位置（図７Ｂに示す）との間で旋回してよい。ハンドル４００は、カートリッジ１０を停止位置方向に戻すように付勢してよい。剃毛かみそり３５０は、前方枢軸（すなわち、刃の前の枢軸）、又は中央枢軸（すなわち、最前方の刃と最後方の刃との間の中央枢軸）、又は後方枢軸（すなわち、最後方の刃とキャップとの間）を有してよい。
【００２５】
図８及び９を参照すると、剃毛かみそり３５０の組立図及び斜視図が示されている。ある実施形態では、カートリッジ１０は、消費者がハンドル４００から分離して取り外してよく、したがって、カートリッジ１０は必要に応じて交換できる。ハンドル４００は、非平坦面、凹部、リブ、又はエラストマー被覆など１つ以上の把持機構４１２を有する、細長い本体４１０を有してよい。ハンドル４００は、細長い本体４１０の一方の端部にヘッド４５０を有してよい。一対の離間した一体型弾性アーム４２０及び４２２は、ヘッド４５０から外側に延在してよい。カートリッジ１０は、対応の一体型弾性アーム４２０及び４２２に旋回可能に装着されてよい。一体型弾性アーム４２０及び４２２は、対応の嵌合機構１００及び１０２と嵌合するように構成されている遠位端４５４及び４５６を有してよい。遠位端４５４及び４５６は、対応の一体型弾性アーム４２０及び４２２から外側に延在してよい。ある実施形態では、遠位端４５４及び４５６は、対応の１つ以上の嵌合機構１００及び１０２内に位置付けられて、カートリッジの旋回を促進するピンであってよい。他の実施形態では、遠位端４５４及び４５６は、ハウジング１２の対応のピンを受容して、カートリッジの旋回を促進する開口部を画定してよい。各カム面１０４及び１０６は、カートリッジ１０がハンドル４００に対して旋回すると、対応の一体型弾性アーム４２０及び４２２の１つと摺動自在に係合してよい。カム面１０４及び１０６は、ハンドル４００から力を受容して、停止位置にあるカートリッジ１０に付勢してよい。カートリッジ１０がハンドル４００に対して旋回すると、カム面１０４及び１０６は、一体型弾性アーム４２０及び４２２を互いに向かって内側に押し付けてよい（例えば、一体型弾性アーム４２０及び４２２は元の位置から屈曲してよい）。
【００２６】
一体型弾性アーム４２０及び４２２は、概して横断するように対応の一体型弾性アーム４２０及び４２２内へと延在するスロット４２４及び４２５をそれぞれ画定してよい。ある実施形態では、スロット４２４及び４２５は概して弓状であり、ヘッド４５０の部分の周りを内側に延在する。１つ以上のスロット４２４及び４２５は、対応の一体型弾性アーム４２０及び４２２の１つ並びに／又はヘッド４５０内へと約１５％、２０％、又は２５％〜約４０％、５０％、又は６０％延在してよい。ある実施形態では、１つ以上のスロット４２４及び４２５は、対応の一体型弾性アーム４２０及び４２２の１つ並びに／又はヘッド４５０内へと最大約９５％延在してよい。例えば、スロット４２４及び４２５がエラストマー材で充填されている場合、これらは、一体型弾性アーム４２０及び４２２内へとより大きく延在してよい。
【００２７】
図１０を参照すると、剃毛かみそり３５０の拡大図が図示されている。スロット４２４及び４２５のそれぞれは、対応の開放端部４２６及び４２７、並びに対応の閉鎖部分４２８及び４２９をそれぞれ有してよい。ある実施形態では、スロットは、旋回位置又は停止位置のいずれかにおいて、約０．５ｍｍ、１ｍｍ、又は１．５ｍｍ〜約３ｍｍ、４ｍｍ、又は５ｍｍの開放端部におけるスロット幅「ｗ４」を有してよい。スロット４２４及び４２５のスロット幅は、旋回位置においてよりも停止位置において大きくてよい。カートリッジ１０に対して作用する力が除去される（又は低減される）と、一体型弾性アーム４２０及び４２２は、停止位置の方向に戻ってよい。一体型弾性アーム４２０及び４２２は、停止位置と旋回位置との間でスロット４２４及び４２５において約０．１ｍｍ、０．１５ｍｍ、又は０．２ｍｍ〜約０．３ｍｍ、０．４ｍｍ、又は０．５ｍｍ屈曲してよい。ある実施形態では、スロット４２４及び４２５は、開放端部４２６及び４２７から閉鎖部分４２８及び４２９まで内側に向かって先細になって、カートリッジ１０の旋回時に適切な付勢力をもたらしてよい。例えば、より小さい開放端部４２６及び４２７は押し込み止めをもたらしてよく、より大きい閉鎖部分４２８及び４２９は更なる可撓性をもたらしてよい。
【００２８】
ある実施形態では、ハンドル４００は、ハウジング１２のポリマー材料とは異なる硬度を有するポリマー材料を含んでよい。例えば、ハウジング１２は、約５３〜約１００のジュロ硬度（例えば、ロックウェルＲスケール）を有するＨＩＰＳで成形されてよく、ハンドル４００は、約１００〜約１２０の硬さ（例えば、ロックウェルＲスケール）を有するＡＢＳで成形されてよい。理論に束縛されるものではないが、ハンドル４００のより硬質の材料は、ハウジング１２のカム面１０４及び１０６に対する改善された耐摩耗性をもたらすと考えられる。したがって、カートリッジ１０を長期間使用し、旋回を繰り返してもハンドル４００の付勢力は一定に保たれ（又は、更には増加し）、ハンドル４００の摩耗が原因で外れることはないであろう。
【００２９】
ある実施形態では、スロット４２４及び４２５は空間を画定してよい。他の実施形態では、スロット４２４及び４２５は、ハンドル４００を構成する材料よりも軟質の材料で充填されてよい。例えば、スロット４２４及び４２５は、約２０、３０、又は４０〜約５０、６０、又は７０のショアＡ硬度を有する材料で充填されてよい。材料としては、熱可塑性エラストマー（ＴＰＥ）又はゴムが挙げられてよく、例としては、シリコーン、天然ゴム、ブチルゴム、ニトリルゴム、スチレンブタジエンゴム、スチレンブタジエンスチレン（ＳＢＳ）ＴＰＥ、スチレンエチレンブタジエンスチレン（ＳＥＢＳ）ＴＰＥ（例えば、Ｋｒａｔｏｎ）、ポリエステルＴＰＥ（例えば、Ｈｙｔｒｅｌ）、ポリアミドＴＰＥ（Ｐｅｂａｘ）、ポリウレタンＴＰＥ、ポリオレフィン系ＴＰＥ、及びこれらのＴＰＥの任意のブレンド（例えば、ポリエステル／ＳＥＢＳブレンド）が挙げられるが、これらに限定されない。ある実施形態では、スロット４２４及び４２５は、Ｋｒａｉｂｕｒｇ  ＨＴＣ  １０２８／９６、ＨＴＣ  ８８０２／３７、ＨＴＣ  ８８０２／３４、又はＨＴＣ  ８８０２／１１（ＫＲＡＩＢＵＲＧ  ＴＰＥ  ＧｍｂＨ  ＆  Ｃｏ．ＫＧ（Ｗａｌｄｋｒａｉｂｕｒｇ，Ｇｅｒｍａｎｙ））で充填されてよい。スロット４２４及び４２５内のより軟質の材料は、カートリッジ１０の付勢を改善してよく、一体型弾性アーム４２０及び４２２の早期破損を低減してよい。
【００３０】
ある実施形態では、ハンドル４００は、ハウジング１２と同じ材料、例えば、Ｎｏｒｙｌ（商標）（Ｇｅｎｅｒａｌ  Ｅｌｅｃｔｒｉｃ  Ｐｌａｓｔｉｃｓ、現在のＳＡＢＩＣ  Ｉｎｎｏｖａｔｉｖｅ  Ｐｌａｓｔｉｃｓが開発したポリフェニレンオキサイド（ＰＰＯ）とポリスチレンとのブレンド）で成形されてよい。ハンドル４００はまた、約５０、６０、又は７０〜約９０、１１０、又は１２０のショアＡ硬度を有する他の半剛性ポリマーで成形されてよい。例えば、高耐衝撃性ポリスチレン（ＨＩＰＳ）、ポリプロピレン（ＰＰ）、アクリロニトリルブタジエンスチレン（ＡＢＳ）、ポリカーボネート（ＰＣ）、及びこれらの組み合わせも使用されてよい。一片設計としてのハンドル４００（すなわち、一体型弾性アーム４２０及び４２２、ヘッド４５０、並びに本体４１０）の成形（例えば、共射出成形）は、ばね、舌部、又はカム従動子など追加構成要素を必要としない、一体型の付勢及び枢動機構を備える、低価格の剃毛かみそりを提供する。更に、カートリッジ１０、並びに一体型弾性アーム４２０及び４２２は、旋回及び付勢機能を提供しつつも、すすぎを向上させるための、遮るものがない水路に使用される空間をその間に画定してよい。
【００３１】
前述のように、ハンドル２００及び４００の細長い本体２１０及び４１０の代わりに１つ以上のスロット（２２４並びに４２４及び４２５に類似である）を有する相互連続部材を使用して、カートリッジ１０に付勢してよいことも理解されたい。続いて相互連結部材は、ハンドルに装着されてよい。かかる相互連結部材は、米国特許第７，１６８，１７３号及び同第５，７８４，７９０号に記載されており、参照することによりこれらの全体を本明細書に組み込むものとする。
【００３２】
本明細書に開示した寸法及び値は、記載された正確な数値に厳密に限定されるものと理解されるべきではない。むしろ、特に断らないかぎり、そのような寸法のそれぞれは、記載された値及びその値の周辺の機能的に同等の範囲の両方を意味するものとする。例えば、「４０ｍｍ」として開示された寸法は、「約４０ｍｍ」を意味することを意図する。いかなる曖昧性も回避するために、この開示の目的では、用語「約」は、一般的な製作公差内を意味するものとする。
【００３３】
相互参照されるか又は関連する全ての特許又は特許出願を含む、本願に引用される全ての文書を、特に除外すること又は限定することを明言しないかぎりにおいて、その全容にわたって本願に援用するものである。いずれの文献の引用も、こうした文献が本願で開示又は特許請求される全ての発明に対する先行技術であることを容認するものではなく、また、こうした文献が、単独で、あるいは他の全ての参照文献とのあらゆる組み合わせにおいて、こうした発明のいずれかを参照、教示、示唆又は開示していることを容認するものでもない。更に、本文書において、用語の任意の意味又は定義の範囲が、参考として組み込まれた文書中の同様の用語の任意の意味又は定義と矛盾する場合には、本文書中で用語に割り当てられる意味又は定義に準拠するものとする。
【００３４】
本発明の特定の実施形態が例示され記載されてきたが、本発明の趣旨及び範囲から逸脱することなく他の様々な変更及び修正を実施できることが、当業者には自明であろう。したがって、本発明の範囲内にあるそのような全ての変更及び修正を添付の特許請求の範囲で扱うものとする。
【図１Ａ】
0005905587.tif 000002
【図１Ｂ】
0005905587.tif 000003
【図２】
0005905587.tif 000004
【図３】
0005905587.tif 000005
【図４】
0005905587.tif 000006
【図５】
0005905587.tif 000007
【図６】
0005905587.tif 000008
【図７Ａ】
0005905587.tif 000009
【図７Ｂ】
0005905587.tif 000010
【図８】
0005905587.tif 000011
【図９】
0005905587.tif 000012
【図１０】
0005905587.tif 000013